(57)【要約】【課題】防具本体にカビが生じたり悪臭が発生するのを未然に防止することで、防具を長期間にわたって衛生的に使用し続けることができるようにすること。【解決手段】本発明に係る防具は、スポーツ用や警備用として使用される手に装着する防具（１）であって、手や腕の外側（手の甲側）を覆う防具本体（２）の内側（手の平側）に手を被覆する手袋（３）を着脱自在に取付けて、防具本体（２）と手袋（３）とを一体化させたものである。【選択図】      図３
2004242933.tif 000002
【特許請求の範囲】
【請求項１】
手の外側を覆う防具本体の内側に手袋を着脱自在に装着したことを特徴とする防具。
【請求項２】
前記手袋の指先部に、前記防具本体の指先部を挿入するための取付用袋部を設けたことを特徴とする請求項１記載の防具。
【請求項３】
前記防具本体の指先部に、前記手袋の指先部を挿入するための取付用袋部を設けたことを特徴とする請求項１記載の防具。
【発明の詳細な説明】
【０００１】
【発明の属する技術分野】
本発明は、防具に関するものであり、特に、剣道や逮捕術などの武術、格闘技、ボクシングなどのスポーツ用や警備用として使用される手に装着する防具に関するものである。
【０００２】
【従来の技術】
従来より、剣道や格闘技などで手に装着する防具としては、剣道の籠手に代表されるように、手の甲や手首や前腕を覆うとともに手の甲側にクッション材を内在させた防具本体と、手の平を覆うとともに防具本体の内側（手の平側）に縫着した内皮とから構成しており、手を覆う部分が手袋形状となっている（たとえば、特許文献１参照）。
【０００３】
【特許文献１】
特開平９−２９９５４３号公報
【０００４】
【発明が解決しようとする課題】
ところが、上記従来の手に装着する防具は、手を覆う部分が手袋形状となっているため、長期間にわたって使用すると、手を覆う部分の内側に汗が付着し、その汗にカビが生じて、悪臭を発生するおそれがあり、非衛生的なものであり、しかも、他人の汗や臭いが付着した防具を使用することで使用者に不快感を与えてしまうおそれがあった。
【０００５】
また、手を覆う部分で竹刀などを握るために、手を覆う部分が破損することが多く、その場合には、修理に時間や費用を要し、修理のために使用することができなかったり、修理期間中の予備の防具を予め用意しておく必要があり、また、耐久性の面で問題があった。
【０００６】
【課題を解決するための手段】
そこで、請求項１に係る本発明では、防具において、手の外側を覆う防具本体の内側に手袋を着脱自在に装着することにした。
【０００７】
また、請求項２に係る本発明では、前記請求項１に係る本発明において、手袋の指先部に、防具本体の指先部を挿入するための取付用袋部を設けることにした。
【０００８】
また、請求項３に係る本発明では、前記請求項１に係る本発明において、防具本体の指先部に、手袋の指先部を挿入するための取付用袋部を設けることにした。
【０００９】
【発明の実施の形態】
本発明に係る手に装着する防具は、手や腕の外側（手の甲側）を覆う防具本体の内側（手の平側）に手を被覆する手袋を着脱自在に取付けて、防具本体と手袋とを一体化させたものである。
【００１０】
これにより、手には手袋の内側だけが直接的に接触することになり、防具本体の内側には手が直接的に接触しないことになる。
【００１１】
そのため、手の汗が付着するのは手袋だけであり、防具本体には手の汗が付着することがなくなる。
【００１２】
したがって、長期間にわたって防具を使用し続ける場合には、手袋だけを適宜交換或いは洗濯することで汗や汚れや臭いを落として使用すればよく、防具本体にカビが生じたり、悪臭が発生するのを未然に防止することができる。
【００１３】
すなわち、防具を長期間にわたって衛生的に使用し続けることができるようになる。
【００１４】
しかも、竹刀などを握ることで手袋が破損してしまっても、その手袋だけを交換して使用し続けることができるので、防具の耐久性を向上させることができる。
【００１５】
また、防具を使用することで手袋に汗の付着や磨耗などが生じても、防具を使用するたびに（試合毎や稽古毎に）手袋を交換して使用することができる。
【００１６】
さらには、防具本体だけを複数人で共同で使用し、汗や臭いが付着しやすい手袋だけを個人で使用することで、他人の汗や臭いが付着した手袋を使用することによる不快感を除去することができる。
【００１７】
特に、手袋の指先部に防具本体の指先部を挿入するための取付用袋部を設けた場合には、手袋の指先部に設けた取付用袋部に防具本体の指先部を挿入するだけで防具本体に手袋を装着することができ、防具本体と手袋との装着を容易なものとすることができる。
【００１８】
また、防具本体の指先部に手袋の指先部を挿入するための取付用袋部を設けた場合にも、防具本体の指先部に設けた取付用袋部に手袋の指先部を挿入するだけで防具本体に手袋を装着することができ、防具本体と手袋との装着を容易なものとすることができる。
【００１９】
以下に、本発明の具体的な実施例について図面を参照しながら説明する。
【００２０】
なお、以下に説明する具体的な実施例としては、剣道の籠手を例に説明するが、本発明に係る防具は、剣道の籠手に限られず、剣道以外の武術やボクシングなどの格闘技といったスポーツで使用される防具や警備用に使用される防具であってもよい。
【００２１】
（第１実施例）
第１実施例としての防具１は、図１〜図３に示すように、手や腕の外側（手の甲側）を覆う防具本体２と手を被覆する手袋３とを具備しており、防具本体２に手袋３が着脱自在に取付けられている。
【００２２】
防具本体２は、図１に示すように、手の甲を覆う甲部分４と前腕の外側を覆う前腕部分５とからなり、これらの甲部分４及び前腕部分５は、内側を抉った断面視で凹状に形成している。
【００２３】
ここで、甲部分４は、親指の外側（甲側）を覆う親指部６と親指以外の四指（人差し指、中指、薬指、小指）の外側（甲側）を覆う四指部７とに分離して形成しており、これらの親指部６と四指部７の内部にクッション材を充填している。
【００２４】
また、前腕部分５は、端縁部間に装着紐８を巻回している。
【００２５】
一方、手袋３は、図２に示すように、親指を被覆する親指部９と、親指以外の四指（人差し指、中指、薬指、小指）を被覆する四指部１０と、手の平及び甲を被覆する平部１１とから構成している。
【００２６】
ここで、親指部９と四指部１０の指先部の外側（甲側）には、防具本体２の親指部６と四指部７の指先部をそれぞれ挿入するための取付用袋部１２，１３を形成している。
【００２７】
そして、図３に示すように、手袋３の指先部に設けた取付用袋部１２，１３に防具本体２の親指部６と四指部７の指先部をそれぞれ挿入すると、防具本体２に手袋３を容易に装着することができる。
【００２８】
（第２実施例）
第２実施例としての防具２１は、図４〜図６に示すように、手や腕の外側（手の甲側）を覆う防具本体２２と手を被覆する手袋２３とを具備しており、防具本体２２に手袋２３が着脱自在に取付けられている。
【００２９】
防具本体２２は、図４に示すように、手の甲を覆う甲部分２４と前腕の外側を覆う前腕部分２５とからなり、これらの甲部分２４及び前腕部分２５は、内側を抉った断面視で凹状に形成している。
【００３０】
ここで、甲部分２４は、親指の外側（甲側）を覆う親指部２６と親指以外の四指（人差し指、中指、薬指、小指）の外側（甲側）を覆う四指部２７とに分離して形成しており、これらの親指部２６と四指部２７の内部にクッション材を充填する一方、これらの親指部２６と四指部２７の指先部の内側（平側）には、後述する手袋２３の親指部３１と四指部３２の指先部をそれぞれ挿入するための取付用袋部２８，２９を形成している。
【００３１】
また、前腕部分２５は、端縁部間に装着紐３０を巻回している。
【００３２】
一方、手袋２３は、図５に示すように、親指を被覆する親指部３１と、親指以外の四指（人差し指、中指、薬指、小指）を被覆する四指部３２と、手の平及び甲を被覆する平部３３とから構成している。
【００３３】
そして、図６に示すように、防具本体２２の指先部に設けた取付用袋部２８，２９に手袋２３の親指部３１と四指部３２の指先部をそれぞれ挿入すると、防具本体２２に手袋２３を容易に装着することができる。
【００３４】
（第３実施例）
第３実施例としての防具４１は、図７〜図９に示すように、手や腕の外側（手の甲側）を覆う防具本体４２と手を被覆する手袋４３とを具備しており、防具本体４２に手袋４３が着脱自在に取付けられている。
【００３５】
防具本体４２は、図７に示すように、手の甲を覆う甲部分４４と前腕の外側を覆う前腕部分４５とからなり、これらの甲部分４４及び前腕部分４５は、内側を抉った断面視で凹状に形成している。
【００３６】
ここで、甲部分４４は、親指の外側（甲側）を覆う親指部４６と親指以外の四指（人差し指、中指、薬指、小指）の外側（甲側）を覆う四指部４７とに分離して形成しており、これらの親指部４６と四指部４７の内部にクッション材を充填する一方、これらの親指部４６と四指部４７の端縁には、逆Ｕ字状のフック４８，４９をそれぞれ取付けている。
【００３７】
また、前腕部分４５は、端縁部間に装着紐５０を巻回している。
【００３８】
一方、手袋４３は、図８に示すように、親指を被覆する親指部５１と、親指以外の四指（人差し指、中指、薬指、小指）を被覆する四指部５２と、手の平及び甲を被覆する平部５３とから構成している。
【００３９】
ここで、親指部５１と四指部５２の端部には、連結紐５４，５５をそれぞれ取付けている。
【００４０】
そして、図９に示すように、防具本体４  ２のフック４８，４９に手袋４３の連結紐５４，５５をそれぞれ挿通させた後に、連結紐５４，５５を結び付けることによって、防具本体４  ２に手袋４  ３を装着することができる。
【００４１】
（第４実施例）
第４実施例としての防具６１は、図１０〜図１２に示すように、手や腕の外側（手の甲側）を覆う防具本体６２と手を被覆する手袋６３とを具備しており、防具本体６２に手袋６３が着脱自在に取付けられている。
【００４２】
防具本体６２は、図１０に示すように、手の甲を覆う甲部分６４と前腕の外側を覆う前腕部分６５とからなり、これらの甲部分６４及び前腕部分６５は、内側を抉った断面視で凹状に形成している。
【００４３】
ここで、甲部分６４は、親指の外側（甲側）を覆う親指部６６と親指以外の四指（人差し指、中指、薬指、小指）の外側（甲側）を覆う四指部６７とに分離して形成しており、これらの親指部６６と四指部６７の内部にクッション材を充填する一方、これらの親指部６６と四指部６７の内側（平側）には、オス型の面ファスナー６８，６９をそれぞれ取付けている。
【００４４】
また、前腕部分６５は、端縁部間に装着紐７０を巻回している。
【００４５】
一方、手袋６３は、図１１に示すように、親指を被覆する親指部７１と、親指以外の四指（人差し指、中指、薬指、小指）を被覆する四指部７２と、手の平及び甲を被覆する平部７３とから構成している。
【００４６】
ここで、親指部７１と四指部７２の外側（甲側）には、メス型の面ファスナー７４，７５をそれぞれ取付けている。
【００４７】
そして、図１２に示すように、防具本体６２の面ファスナー６８，６９と手袋６３の面ファスナー７４，７５を当接させて係止させることによって、防具本体６２に手袋６３を装着することができる。
【００４８】
（第５実施例）
第５実施例としての防具８１は、図１３〜図１５に示すように、手や腕の外側（手の甲側）を覆う防具本体８２と手を被覆する手袋８３とを具備しており、防具本体８２に手袋８３が着脱自在に取付けられている。
【００４９】
防具本体８２は、図１３に示すように、手の甲を覆う甲部分８４と前腕の外側を覆う前腕部分８５とからなり、これらの甲部分８４及び前腕部分８５は、内側を抉った断面視で凹状に形成している。
【００５０】
ここで、甲部分８４は、親指の外側（甲側）を覆う親指部８６と親指以外の四指（人差し指、中指、薬指、小指）の外側（甲側）を覆う四指部８７とに分離して形成しており、これらの親指部８６と四指部８７の内部にクッション材を充填する一方、これらの親指部８６と四指部８７の端縁には、複数個の逆Ｕ字状のフック８  ８，  ８  ９をそれぞれ取付けている。
【００５１】
また、前腕部分８  ５は、端縁部間に装着紐９  ０を巻回している。
【００５２】
一方、手袋８  ３は、図１４に示すように、親指を被覆する親指部９  １と、親指以外の四指（人差し指、中指、薬指、小指）を被覆する四指部９  ２と、手の平及び甲を被覆する平部９  ３とから構成している。
【００５３】
ここで、手袋８３の端縁部には、張出部９  ４，  ９  ５を形成し、同張出部９４，９５に貫通孔９６，９７を穿設している。
【００５４】
そして、図１５に示すように、防具本体８  ２のフック８  ８，  ８  ９を手袋８  ３の貫通孔９６，９７を挿通させるとともに、防具本体８  ２のフック８８，８９に連結紐９８をそれぞれ挿通させた後に、連結紐９８を結び付けることによって、防具本体８  ２に手袋８  ３を装着することができる。
【００５５】
【発明の効果】
本発明は、以上に説明したような形態で実施され、以下に記載されるような効果を奏する。
【００５６】
すなわち、請求項１に係る本発明では、手の外側を覆う防具本体の内側に手袋を着脱自在に装着しているため、手には手袋だけが直接的に接触することになり、手の汗が付着するのは手袋だけであって、防具本体には手の汗が付着することがなくなり、防具本体にカビが生じたり悪臭が発生するのを未然に防止することができ、防具を長期間にわたって衛生的に使用し続けることができる。
【００５７】
しかも、竹刀などを握ることで手袋が破損してしまっても、その手袋だけを交換して使用し続けることができるので、防具の耐久性を向上させることができる。
【００５８】
また、請求項２に係る本発明では、手袋の指先部に防具本体の指先部を挿入するための取付用袋部を設けているため、防具本体と手袋との装着を容易なものとすることができる。
【００５９】
また、請求項３に係る本発明では、防具本体の指先部に手袋の指先部を挿入するための取付用袋部を設けているため、これによっても、防具本体と手袋との装着を容易なものとすることができる。
【図面の簡単な説明】
【図１】第１実施例としての防具本体を示す説明図。
【図２】第１実施例としての手袋を示す説明図。
【図３】第１実施例としての防具を示す説明図。
【図４】第２実施例としての防具本体を示す説明図。
【図５】第２実施例としての手袋を示す説明図。
【図６】第２実施例としての防具を示す説明図。
【図７】第３実施例としての防具本体を示す説明図。
【図８】第３実施例としての手袋を示す説明図。
【図９】第３実施例としての防具を示す説明図。
【図１０】第４実施例としての防具本体を示す説明図。
【図１１】第４実施例としての手袋を示す説明図。
【図１２】第４実施例としての防具を示す説明図。
【図１３】第５実施例としての防具本体を示す説明図。
【図１４】第５実施例としての手袋を示す説明図。
【図１５】第５実施例としての防具を示す説明図。
【図１】
2004242933.tif 000003
【図２】
2004242933.tif 000004
【図３】
2004242933.tif 000005
【図４】
2004242933.tif 000006
【図５】
2004242933.tif 000007
【図６】
2004242933.tif 000008
【図７】
2004242933.tif 000009
【図８】
2004242933.tif 000010
【図９】
2004242933.tif 000011
【図１０】
2004242933.tif 000012
【図１１】
2004242933.tif 000013
【図１２】
2004242933.tif 000014
【図１３】
2004242933.tif 000015
【図１４】
2004242933.tif 000016
【図１５】
2004242933.tif 000017